(57)【要約】【課題】キャリッジに搭載した光源ランプの冷却を簡単な構造で、小型コンパクトで安価に提供する。【解決手段】装置ハウジング１に載置原稿を画像読取りする第１読取プラテン３と走行原稿を画像読取りする第２読取プラテン２と、この両プラテンの間を位置移動可能に配置された読取キャリッジ６と、このキャリッジに搭載され、第１読取プラテン３上の原稿に光を照射する光源ランプ９とを備える。そして読取キャリッジに光源ランプを収容するランプ収容部９ａと、このランプ収容部から熱を伝導する伝熱部材１４を設ける。また装置ハウジングには放熱部材１６を設ける。この伝熱部材１４と放熱部材１６とは、キャリッジが第２プラテン２に位置するとき互いに熱伝導するように面接触で接合する位置に配置する。【選択図】図４
2011188149.tif 000002
【特許請求の範囲】
【請求項１】
装置ハウジングと、
前記装置ハウジングに配置され載置原稿を画像読取りする第１読取プラテンと、
前記装置ハウジングに配置され所定速度で移動する走行原稿を画像読取りする第２読取プラテンと、
前記第１読取プラテンと第２読取プラテンとの間を位置移動可能に配置された読取キャリッジと、
前記読取キャリッジに搭載され、前記第１読取プラテン上の原稿に光を照射する光源ランプと、
を備え、
前記読取キャリッジには、前記光源ランプを収容するランプ収容部と、このランプ収容部から熱を伝導する伝熱部材が設けられると共に、前記装置ハウジングには、放熱部材が設けられ、
この伝熱部材と放熱部材とは、前記読取キャリッジが前記第２読取プラテンに位置するとき互いに熱伝導するように面接触で接合する位置に配置されていることを特徴とする画像読取装置。
【請求項２】
前記伝熱部材と前記放熱部材は、それぞれ表面に放熱フィンを有する熱伝導性材料で形成されていると共に、この放熱フィンは放熱部材の放熱量が伝熱部材の放熱量より大きくなるように構成されていることを特徴とする請求項１に記載の画像読取装置。
【請求項３】
前記放熱部材は、
読取キャリッジが前記第１読取プラテンと第２読取プラテンとの間を移動する方向と略々直交する方向に位置移動可能に前記装置ハウジングに取付けられ、
この放熱部材には、前記伝熱部材と接合する係合位置とこの伝熱部材から離間した解除位置との間で位置移動するシフト手段が備えられている
ことを特徴とする請求項１に記載の画像読取装置。
【請求項４】
前記シフト手段は、
前記第１読取プラテンと第２読取プラテンとの間で移動する前記読取キャリッジの運動を、前記係合位置と解除位置との間で移動する放熱部材の運動に変換するカム手段であることを特徴とする請求項３に記載の画像読取装置。
【請求項５】
前記読取キャリッジには、
複数のランプ収容部と、
それぞれのランプ収容部に収容された複数の光源ランプと、
が搭載され、
前記伝熱部材は、この複数のランプ収容部から熱を伝導するように構成されていることを特徴とする請求項１に記載の画像読取装置。
【請求項６】
前記装置ハウジングには、前記読取キャリッジに搭載された光源ランプとは異なる第２の光源ランプが設けられ、
この第２の第２の光源ランプは前記第２読取プラテン上の走行原稿に光を照射する位置に配置された第２のランプ収容部に収容され、
前記放熱部材は、前記第２の光源ランプからの熱を放熱するようにこの第２のランプ収容部に配置されていることを特徴とする請求項１に記載の画像読取装置。
【請求項７】
前記第１読取プラテン上の原稿と、前記第２読取プラテン上の原稿に光を照射する光源ランプには次のいずれかの光量調整手段、
（１）前記読取キャリッジに搭載された光源ランプに供給する電力を高低調節する光量調整手段、
（２）前記読取キャリッジに搭載された第１第２、少なくとも２つの光源ランプを選択的に点灯する光量調整手段、
（３）前記読取キャリッジに搭載された光源ランプと、前記装置ハウジングに配置された前記第２読取プラテン上の走行原稿に光を照射する第２の光源ランプを同時点灯するか、片側点灯する光量調整手段、
が備えられ、前記第１読取プラテンの原稿と前記第２読取プラテンの原稿に異なる光量の光を照射することを特徴とする請求項１に記載の画像読取装置。
【請求項８】
前記第２読取プラテンには、原稿を供給する原稿給送ユニットが備えられ、
この原稿給送ユニットは、前記読取キャリッジが前記第１読取プラテンを移動する読取り速度より高速で前記第２読取プラテンに原稿を給送する搬送手段を備えていることを特徴とする請求項１に記載の画像読取装置。
【発明の詳細な説明】
【技術分野】
【０００１】
本発明はスキャナ装置、複写機、ファクシミリ等に使用される原稿画像を読み取る画像読取装置に係わり、載置セットした原稿画像の読取部と、所定速度で走行する原稿画像を読取る読取部を備えた読み取り機構の改良に関する。
【背景技術】
【０００２】
一般に、原稿画像を読み取るスキャナ装置は、例えばコンピュータシステムの入力装置として、或いは複写機、ファクシミリ等の原稿読取装置として広く知られている。そしてその構造として、プラテン上にセットした原稿シートを、このプラテンに沿って移動する光学キャリッジによって線順次で画像読取りする装置が知られている。
【０００３】
この種のスキャナ装置は、例えば特許文献１に開示されているようにプラテンに沿って往復動する光学ユニット（以下「光学キャリッジ」という）を設け、この光学ユニットに光源ランプと、この光源からの光の反射光をミラーで所定方向に変更して集光レンズで光センサに導き、この光センサで光電変換した電気信号を電気的に処理（例えばデジタル化）して出力する装置が知られている。
【０００４】
そして特許文献１には、画像読取プラテンは静止原稿をセットする第１プラテンと、所定速度で移動する走行原稿を読取る第２プラテンを備え、プラテンの上方にフィダーユニットを設けて、その給紙トレイから原稿を第２プラテンに給送し、画像読取後の原稿を排紙トレイに収納する装置が開示されている。
【０００５】
このような画像読取装置で光源ランプが高温となると、その熱でキャリッジに搭載されているミラー位置が狂うなどの問題を引き起こすためランプ収容部の熱を放熱する冷却システムが必要となる。従来この冷却システムとしては、装置ハウジングに冷却ファンを設ける方法が一般的に知られている。例えば特許文献２にはハウジングに冷却ファンを設けて光源ランプから機内に対流した熱を外部に発散する方法が提案されている。
【０００６】
また、光源ランプを搭載したキャリッジにヒートシンクを設けて冷却する方法が例えば特許文献３、４に提案されている。文献３には、キャリッジに放熱フィンを備えたヒートシングが光源ランプと平行するように配置した冷却システムが提案されている。文献４にも同様のヒートシンクがその図２に開示されている。
【先行技術文献】
【特許文献】
【０００７】
【特許文献１】特許４２９４６５５号公報
【特許文献２】特開２００９−０８８８８３号公報
【特許文献３】特開２００７−３０６３０９号公報
【特許文献４】特開平１１−３２０９６５号公報
【発明の概要】
【発明が解決しようとする課題】
【０００８】
上述のように画像読取装置のキャリッジに搭載された光源ランプの熱を冷却するため、従来は、ハウジングに冷却ファンを設けるか、或いはキャリッジにヒートシンクを設けて放熱している。一方、画像読取りを高速で処理するためにはキャリッジの移動速度を高速にすることと、走行原稿の移動速度を高速にすること、つまり読取り速度を高速にすることが知られている。
【０００９】
このように読取り速度を高速にすると、光源ランプの発光量を大きくするためランプ収納部が高温となり、キャリッジフレームの熱変化で反射ミラーの位置が狂う問題が知られている。このため、上述のキャリッジにヒートシンクを搭載する方法では、ヒートシンクが大型となってキャリッジの重量（質量）が増大する。また冷却ファンをケーシングに設ける方法では、ファンが大型或いは複数配置しなければならないためコストアップの原因となる。
【００１０】
これとは別に画像読取装置において静止画像を読取るフラットベッドプラテンと移動画像を読取るスリット露光プラテンを備えた構成では、前者はオペーレータが原稿を交換するため全体として高速読取りするニーズが少ないのに対し、後者は複数原稿を自動的に交換するため高速読取りする高速処理が必要となる。このような場合フラットベッドプラテンの原稿を読取るキャリッジの移動速度に比べて、スリット露光プラテンに原稿を給送する速度を高速にすることが効率的な装置構成となる。
【００１１】
そこで本発明者は、スリット露光プラテンに光を照射する光源ランプの光量をフラットベッドプラテンに照射する光量より大きくすることに着目した。この場合キャリッジに搭載する光源ランプの冷却を従来のキャリッジ搭載型ヒートシンク構造或いは冷却ファン構造では上述の問題（キャリッジ重量、コストアップ）が生じ、その解決に迫られる。
【００１２】
本発明は、静止画像を読取るプラテンと移動画像を読取るプラテンを備えた画像読取装置において、キャリッジに搭載した光源ランプの冷却を簡単な構造で、小型コンパクトで安価に提供することをその課題としている。
【課題を解決するための手段】
【００１３】
上記課題を達成するため本発明は、装置ハウジングに載置原稿を画像読取りする第１読取プラテンと走行原稿を画像読取りする第２読取プラテンと、この両プラテンの間を位置移動可能に配置された読取キャリッジと、このキャリッジに搭載され第１読取プラテン上の原稿に光を照射する光源ランプとを備える。そして上記読取キャリッジに光源ランプを収容するランプ収容部と、このランプ収容部から熱を伝導する伝熱部材を設ける。一方、上記装置ハウジングには放熱部材を設ける。この伝熱部材と放熱部材とは、前記読取キャリッジが前記第２読取プラテンに位置するとき互いに熱伝導するように面接触で接合する位置に配置することを特徴としている。
【００１４】
更に、その構成を詳述すると、装置ハウジング（１）と、装置ハウジングに配置され載置原稿を画像読取りする第１読取プラテン（３）と、装置ハウジングに配置され所定速度で移動する走行原稿を画像読取りする第２読取プラテン（２）と、第１読取プラテンと第２読取プラテンとの間を位置移動可能に配置された読取キャリッジ（６）と、読取キャリッジに搭載され、第１読取プラテン上の原稿に光を照射する光源ランプ（９）とを備える。
【００１５】
そして読取キャリッジには、光源ランプを収容するランプ収容部（１３）と、このランプ収容部から熱を伝導する伝熱部材（１４）が設けられ、装置ハウジングには、放熱部材（１６）が設けられ、この伝熱部材（１４）と放熱部材（１６）とは、読取キャリッジが第２読取プラテンに位置するとき互いに熱伝導するように面接触で接合する位置に配置する。
【発明の効果】
【００１６】
本発明は読取キャリッジに光源ランプから熱を伝導する伝熱部材を、装置ハウジングに放熱部材をそれぞれ配置し、この伝熱部材と放熱部材とを読取キャリッジが走行原稿を読取る第２読取プラテンに位置するとき互いに熱伝導するように面接触で接合するものであるから以下の効果を奏する。
【００１７】
読取キャリッジに搭載した光源ランプの熱量は伝熱部材に伝達され、キャリッジが走行原稿を読取る第２読取プラテンに位置するとき（キャリッジとは別に）装置ハウジングに配置された放熱部材にこの伝熱部材が接合して熱量が放熱部材に伝搬されることとなる。従って、装置ハウジングに面積の大きい大型の放熱部材を配置することが可能となる。
【００１８】
従って、第１読取プラテンで載置原稿を画像読取りする際にはキャリッジに搭載取れた光源ランプの発光量を小さく抑制し、第２読取プラテンで走行原稿を画像読取りする際には発光量を大きくしても、ランプから発生する熱量は装置ハウジングの放熱部材から機内に放出される。このためキャリッジに大型の放熱部材（ヒートシンクなど）を設ける必要が無く、キャリッジの大型化と重量化をもたらすことがない。
【００１９】
更に、本発明は装置ハウジングに配置する放熱部材と共に第２読取プラテンに光を照射する第２の光源ランプを配置することによって、この放熱部材は第２光源ランプの熱量を放熱するのと同時にキャリッジに搭載された第１光源ランプの熱量を放熱することが出来る。
【００２０】
また、装置ハウジングに上記放熱部材からの熱を装置外部に放出する冷却ファンを効果的に配置することによって装置全体の冷却システムを小型で安価に構成することが可能となる。
【図面の簡単な説明】
【００２１】
【図１】本発明に係わる画像読取装置の全体構成を示す斜視説明図。
【図２】図１の装置の縦断説明図。
【図３】図１の装置における原稿画像を読取る読取キャリッジの構成を示す説明図。
【図４】図１の装置におけるキャリッジの放熱機構の第１実施形態を示し、（ａ）は第1プラテンの画像読取状態を、（ｂ）は第２プラテンの画像読取状態を示す。
【図５】図４の第１実施形態におけるキャリッジの平面構成を示し、（ａ）は第1プラテンの画像読取状態を、（ｂ）は第２プラテンの画像読取状態を示す。
【図６】図１の装置におけるキャリッジの放熱機構の第２実施形態を示し、（ａ）は第1プラテンの画像読取状態を、（ｂ）は第２プラテンの画像読取状態を示す。
【図７】図５の第２実施形態におけるキャリッジの平面構成を示し、（ａ）は第1プラテンの画像読取状態を、（ｂ）は第２プラテンの画像読取り状態を示す。
【発明を実施するための形態】
【００２２】
以下図示の好適な実施の態様に基づいて本発明を詳述する。図１にその斜視図を示すように、本発明の画像読取装置は画像読取ユニットＡと、原稿搬送ユニットＢとから構成され、原稿搬送ユニットＢは画像読取ユニットＡの上部に設置されている。
【００２３】
上記画像読取ユニットＡは図１に示すように装置ハウジング（外装ケーシング；以下同様）１の上面には、載置した原稿を画像読取りする第１読取プラテン（以下「第１プラテン」という）３と、所定速度で移動する走行原稿を画像読取りする第２読取プラテン（以下「第２プラテン」という）２が隣接した位置に並設されている。
【００２４】
上記原稿搬送ユニットＢは第２プラテン２に原稿シートを給送するフィーダ機構４と、上記第１プラテン３上の原稿を覆うプラテンカバー５とから構成され、図１に示すように開閉自在にヒンジ連結されている。以下各構成を詳述する。
【００２５】
［画像読取ユニットの構成］
画像読取ユニットＡは装置ハウジング１に第１プラテン３と、第２プラテン２を備えている。この第１、第２プラテン３，２は、ガラスなどの透明素材で形成され、装置ハウジング１の天部外壁に固定されている。そして第１プラテン３は原稿を載置セット可能なサイズに形成され、第２プラテン２は所定速度で移動する原稿を読み取るようにその幅サイズに形成されている。上記第１、第２プラテン３，２は図１に示すように互いに並設されている。また、上記装置ハウジング１の内部には画像読取機構が内蔵されている。
【００２６】
上記画像読取機構を図２に従って説明すると、装置ハウジング１内には、第１プラテン３に沿って往復動するキャリッジ６と、集光レンズ７と光電センサ８が配置されている。そしてキャリッジ６にはプラテン上の原稿に光を照射する光源（後述の第１光源）９ａと、原稿からの反射光を偏向する反射ミラー１０（第１ミラー１０ａ、第２ミラー１０ｂ、第３ミラー１０ｃ）が搭載されている。また、反射ミラー１０からの光は集光レンズ７で結像され、その結像部に光電センサ８が配置されている。従って、原稿画像からの反射光を集光レンズ７で光学的に結像し、この像を光電センサ８で電気信号として出力するように構成されている。
【００２７】
［キャリッジの構成］
上記キャリッジ６は装置フレームに配置されたガイドレール１２に支持され、このガイドレール１２に沿って往復動するように支持され、図示しないキャリッジモータで図２左右方向に往復動する。上記ガイドレール１２は左右一対が第１プラテン３と並行に配置され、この第１プラテン上の原稿画像を線順次で読み取る。このため、上記光電センサ８は原稿幅方向に複数の光電変換素子を配列したラインセンサで構成されている。図示のラインセンサはＲ・Ｇ・Ｂなどのカラーセンサアレイで構成されている。
【００２８】
尚図示の装置はキャリッジ６に光源ランプ９と反射ミラー１０を搭載し、集光レンズ７と光電センサ８は装置フレーム（底部シャーシなど）に取り付ける場合を示しているが、集光レンズ７と光電センサ８を光源ランプ９と共にキャリッジ６に搭載することも可能であり、この場合には光源と光電センサを一体化した密着センサ構造を採用することが好ましい。
【００２９】
上述のキャリッジ６は第２プラテン２に沿って移動する過程でこの第２プラテン２にセットされた原稿を走査し光電センサ８で画像を読み取る。これと同時にこのキャリッジ６は第２プラテン２から第１プラテン３の直下に移動し、この位置に静止した状態でプラテン上を所定速度で移動する原稿の画像を読み取るように構成されている。
【００３０】
つまり第１プラテン３と第２プラテン２は略々同一平面に配置され、その下方に位置するキャリッジ６は第１プラテン３と第２プラテン２の直下に位置移動自在にガイドレール１２に支持され、キャリッジモータで選択的に位置移動する。このようにキャリッジ６は第１プラテン３と第２プラテン２との間を位置移動可能に構成されている。
【００３１】
そこで上記キャリッジ６には第１プラテン３上の原稿に読取光を照射する光源ランプ９が搭載されている。この光源ランプ９はプラテン幅方向（図２Ｙ方向）に長い線状光源（キセノンランプ、蛍光ランプ、ＬＥＤなど）で構成されている。そしてキャリッジ６が第１プラテン３に沿って移動するときにはこのプラテン上の原稿にライン光を照射し、キャリッジ６と共に副走査方向に移動するように構成されている。このキャリッジ６に搭載された光源ランプ９はキャリッジ６が第２プラテン２の直下に位置するときには第２プラテン２上を走行する原稿に対してその幅方向にライン光を照射する。
【００３２】
上述のように、キャリッジ６には、前記光源ランプ９を収容するランプ収容部１３と、このランプ収容部１３に光源ランプ９が収容されている。図２に示す実施形態ではキャリッジ６に第１第２の２つのランプ収容部１３ａ、１３ｂが設けられ、各収容部に第１第２光源ランプ９ａ、９ｂが収容されている。そしてキャリッジ６が第１プラテン３の読取位置に位置してこのプラテンに沿って画像読取りするときには第１光源ランプ９ａのみを点灯し、キャリッジ６が第２プラテン２の直下に位置して、このプラテンに沿って所定速度で移動する原稿を読み取るときには第１光源ランプ９ａと第２光源ランプ９ｂを同時に点灯する。
【００３３】
このため第１光源ランプ９ａと第２光源ランプ９ｂとは図４に示すように読取位置Ｒ２に左右対向する方向から光を照射するように配置されている。これによって読取位置Ｒ２は均一な照度が得られ、互いの光源からの光が直接反射ミラー１０（第１ミラー１０ａ）に入射してフレア現象を引き起こすことがない。
【００３４】
［伝熱部材の構成］
そこで本発明はキャリッジ６に搭載された１本若しくは複数本の光源ランプからの熱を次のように放出する冷却システムを特徴としている。上述のキャリッジ６に搭載された光源ランプ９は、ＬＥＤ、キセノン、蛍光ランプ（冷陰極管）などで構成され、その発光時の温度は１００度〜１５０度に達する。このときランプソケット、電源基板などに樹脂が使用されていると、これが熱変形することがある。
【００３５】
同様に光源からの熱でキャリッジフレームが熱変形することがある。そこでランプ収容部１３の熱を装置外部に放熱する冷却システムが必要となる。以下その冷却システムについてその第１実施形態を図４及び図５に基づいて、その第２実施形態を図６に基づいて説明する。
【００３６】
［伝熱部材の第１実施形態］
図５に示すようにキャリッジ６には第１第２光源ランプ９ａ、９ｂが搭載され、図示しないキャリッジモータでガイドレール１２に沿って図４矢印方向第１プラテン３の読取位置Ｒ１と第２プラテン３の読取位置Ｒ２との間で位置移動するように支持されている。
【００３７】
そこで図５（ａ）（ｂ）に示すようにこのキャリッジ６には、ランプ収容部１３ａ、１３ｂに伝熱部材１４ａ、１４ｂが設けてある。この伝熱部材１４は、熱伝導率に優れたアルミ、銅などの金属板で構成され、図示のものは光源ランプ９ａ、９ｂの左右ソケットに一体的に取り付けてある。つまりキャリッジ６の左右側部に伝熱部材１４ａと１４ｂが配置されている。この伝熱部材１４ａ、１４ｂには後述する放熱部材１６と面接触する熱伝導面１４ｘが形成され、この熱伝導面１４ｘはキャリッジ６の移動方向と直交する平面（キャリッジ側壁）に形成されている。
【００３８】
この他、上記伝熱部材１４ａ、１４ｂはランプ収容部１３の主走査方向中央部にランプ収容部の壁面と一体に形成しても良い。この場合にはキャリッジ６が第１読取位置Ｒ１から第２読取位置Ｒ２に移動する前面に形成する。
【００３９】
上記伝熱部材１４ａ、１４ｂには、ランプ収容部１３の熱を空気中に放出する放熱フィン１５ａ、１５ｂが一体に形成してある。そして収容部１３の熱を伝熱部材１４自体が放熱するのと同時に熱伝導面１４ｘから後述する放熱部材１６に熱伝導するように構成されている。従ってこの放熱フィン１５ａ、１５ｂは、熱伝導面１４ｘからの冷却で十分なときには、伝熱部材１４に配置しなくても良い。
【００４０】
一方、装置ハウジング１には、そのフレーム（不図示）に放熱部材１６が設けられている。
この放熱部材１６はその表面から熱を放出するように熱伝導率に富んだアルミ、銅などの放熱部材で構成され、図示のものはその外表面に放熱フィン１６ｆが１位形成されている。
【００４１】
装置ハウジング１には図５に示すようにブラケット１７ａ、１７ｂが前述の伝熱部材１４ａ、１４ｂに対向する位置に配置してある。そしてこのブラケット１７ａ、１７ｂに左右一対の放熱部材１６ａ、１６ｂが取り付けてある。この放熱部材１６ａ、１６ｂには前述の伝熱部材１４ａ、１４ｂに形成されている熱伝導面１４ｘと合致する形状の接合面１６ｘが形成されている。
【００４２】
そしてこの左右の放熱部材１６ａ、１６ｂはキャリッジ６が第２読取位置Ｒ２に移動したとき、このキャリッジ６に取り付けられている伝熱部材１４ａ、１４ｂと合致する位置に配置されている。そしてこの伝熱部材１４ａ、１４ｂの熱伝導面１４ｘと放熱部材１６ａ、１６ｂの接合面１６ｘが互いに面接触するように構成されている。
【００４３】
そこで図示の実施形態では、熱伝導面１４ｘと接合面１６ｘが緊密に面接蝕するように、ブラケット１７ａ、１７ｂに放熱部材１６ａ、１６ｂを次のようにマウントしている。この放熱部材１６ａ、１６ｂを、キャリッジ６の移動方向（図示Ｘ方向；副走査方向）と直交する方向（図示Ｙ方向；主走査方向）に移動可能に支持し、キャリッジ６の副走査方向への移動に応じて（従動して）接合面１６ｘが熱伝導面１４ｘに圧接するようにしている。
【００４４】
このため、ブラケット１７ａ、１７ｂには主走査方向のスリット溝１７ｓが設けられ、このスリット溝１７ｓに放熱部材１６ａ、１６ｂがピン連結され主走査方向に移動可能に取付けられている。そして放熱部材１６ａ、１６ｂには付勢スプリング１８ａ、１８ｂが、接合面１６ｘを熱伝導面１４ｘ側に移動するように付勢している。そこで伝熱部材１４ａ、１４ｂにはカム面１４ｋが一体形成され、放熱部材１６には、同様にカム面１６ｋが形成され、カム面１４ｋとカム面１６ｋとは互いに係合して、キャリッジ６の副走査方向運動を放熱部材１６の主走査方向運動に変換している。
【００４５】
これによってキャリッジ６が第１読取位置Ｒ１から第２読取位置Ｒ２に移動すると、その運動に連動して放熱部材１６が主走査方向に移動される。この為、部品精度、ガタつきなどに関係なく放熱部材１６の接合面１６ｘは伝熱部材１４の熱伝導面１４ｘに緊密に接合することとなる。
【００４６】
このような構成においてキャリッジ６を第１プラテン３の読取位置Ｒ１から第２プラテン２の読取位置Ｒ２に移動すると、キャリッジ６に配置されている伝熱部材１４（１４ａ、１４ｂ）が、装置ハウジング１に配置されている放熱部材１６（１６ａ、１６ｂ）と面接触する。この面接触はキャリッジ６の移動で伝熱部材１４に一体形成されているカム面１４ｋが放熱部材１６に一体形成されているカム面１６ｋに係合し、付勢スプリング１８ａ、１８ｂに抗して接合面１６ｘを拡開する。そしてキャリッジ６が第２読取位置Ｒ２から第１プラテン３の第１読取位置Ｒ１に移動するときには、接合面１６ｘと熱伝導面１４ｘとの係合は解除される。
【００４７】
従って、図示しない制御手段でキャリッジ６が第１プラテン３の第１読取位置Ｒ１に位置するときには第１光源ランプ９ａのみを点灯し、第２プラテン２の第２読取位置Ｒ２に位置するときには第１光源ランプ９ａと第２光源ランプ９ｂの両方を点灯する。このときキャリッジ６のランプ収容部１３ａ、１３ｂに発生する熱量は、伝熱部材１４からこれと接合する放熱部材１６に熱伝導され、放熱部材１６に一体成形されている放熱フィン１６ｆから空気中に放熱される。
【００４８】
［伝熱部材の第２実施形態］
伝熱部材の第２実施形態について図６、図７に基づいて説明する。尚第１実施形態と同一の構成につては同一符合を付して説明を省略する。キャリッジ６には１本の棒状の光源ランプ（第１光源ランプ）９ａがランプ収容部１３ａに収容されている。そしてこの収容部には左右のランプソケット部に一体的に伝熱部材１４ａ、１４ｂが略々第１実施形態と同一構造で配置されている。図示１５ａ、１５ｂは放熱フィンである。
【００４９】
装置フレーム１には、図６（ａ）に示すように第２読取位置Ｒ２に対向する位置にランプユニット１９が配置されている。このランプユニット１９には、ランプ収容部１９ａと、放熱部材２０ａ、２０ｂが一体的に設けられている。このランプ収容部１９ａには第２光源ランプ９ｂが収容され、そのランプソケットと一体に放熱部材２０ａ、２０ｂが設けられている。
【００５０】
そして図６（ｂ）および図７（ｂ）に示すようにキャリッジ６が第１読取位置Ｒ１から第２読取位置Ｒ２に移動すると、この第２読取位置Ｒ２でキャリッジ６とランプユニット１９が一体化する。この状態でキャリッジ６に搭載されている第１光源ランプ９ａとランプユニット１９に搭載されている第２光源ランプ９ｂが第２プラテン２に光を照射する。
【００５１】
上記伝熱部材１４ａ、１４ｂには、それぞれに第１実施形態と同様に熱伝導面１４ｘが設けられ、上記放熱部材２０ａ、２０ｂには接合面２０ｘが形成されている。この熱伝導面１４ｘと接合面２０ｘとは互いに面接触して第１光源ランプ９ａからの熱が接合面２０ｘを介して放熱部材２０ａ、２０ｂに熱伝搬される。このため放熱部材２０ａと２０ｂに一体成形されている放熱フィン２０ｆは、キャリッジ６に一体形成されている放熱フィン１５ａ、１５ｂより放熱量が大きくなるように構成されている。
【００５２】
この放熱量はフィン１５ａ、１５ｂの表面積よりフィン２０ｆの表面積を大きくすることによって達成される。従って互いに面接触する熱伝導面１４ｘと接合面２０ｘとは、その接触面から熱が高温のキャリッジ６側から低温の放熱部材２０側に流れ、放熱フィン２０から空気中に放出される。
【００５３】
尚上記伝熱部材１４（１４ａ、１４ｂ）と放熱部材２０（２０ａ、２０ｂ）とは第１実施形態と同様にカム面（１４ｋ、２０ｋ）と付勢スプリング１８（１８ａ、１８ｂ）とで互いが緊密に当接するようになっている。同一符合を付してその説明を省略する。
【００５４】
［光源ランプの構成］
上述の第１及び第２実施形態における光源ランプの構成について説明すると、光源ランプ９ａ（９ｂ）は上述したように棒状発光体（蛍光管（ＣＣＦＬ）、キセノン、ＬＥＤなど）で構成されている。この光源ランプ９ａ（９ｂ）は図示のように２つのランプで構成する必然性はなく、１本或いは３本以上のランプで構成しても良い。この場合、後述する原稿給送ユニットＢでは、第２プラテン２を走行する原稿の速度を、第１プラテン３に沿ってキャリッジ６が移動する速度より高速にしている。
【００５５】
つまり、第１プラテン３の読取り速度より第２プラテン２の読取り速度を高速にしている。このため原稿に照射する光量を第１プラテン３より第２プラテン２を高くすることが好ましい。
【００５６】
このような光量調整は次のいずれかの方法を採用することによって可能である。（１）キャリッジ６に搭載された光源ランプ９に供給する電力を高低調節する。例えば光源ランプに電源を供給する電源供給回路に供給電圧又は供給電流の切り換え手段を設け、ランプに供給する電力を高低調整する光量調整手段を設ける。この光量調整手段はＰＷＭ制御として広く知られているのでその詳細説明を省く。
【００５７】
（２）キャリッジ６に搭載された第１第２、少なくとも２つの光源ランプ９ａ、９ｂを選択的に点灯する光量調整手段を設ける。前述の第１実施形態ではキャリッジ６に第１光源ランプ９ａと第２光源ランプ９ｂが搭載され、第１光源ランプ９ａは第１プラテン３上の原稿に光を照射する位置に、第２光源ランプ９ｂは第２プラテン２上の原稿に光を照射する位置に配置されている。そして第２光源ランプ９ｂの発光量は第１光源ランプ９ａの発光量より大きくなるように構成されている。
【００５８】
このような構成においてキャリッジ６が第１プラテン３に位置するときには第１光源ランプ９ａを、第２プラテン２に位置するときには第２光源ランプ９ｂを点灯する。これによって原稿に照射する光量を調整することが可能となり、供給電源を「ＯＮ」「ＯＦＦ」するスイッチング回路が光量調整手段を構成することとなる。
【００５９】
（３）第１、第２少なくとも２つの光源ランプを同時点灯するか、片側点灯する光量調整手段を設ける。前述の第２実施形態ではキャリッジ６に第１光源ランプ９ａが、ランプユニット１９に第２光源ランプ９ｂが配置されている。そして第１光源ランプ９ａは第１プラテン３上の原稿に光を照射するのと同時に第２プラテン２上の原稿に光を照射することが可能な位置に配置されている。
【００６０】
そしてキャリッジ６が第１プラテン３に位置するときには第１光源ランプ９ａに電源を供給し、キャリッジ６が第２プラテン２に位置するときには第１光源ランプ９ａと同時に第２光源ランプ９ｂに電源を供給する。これによって光量調整が可能となり、供給電源を「ＯＮ」「ＯＦＦ」するスイッチング回路が光量調整手段を構成することとなる。
【００６１】
［原稿搬送ユニットの構成］
原稿搬送ユニットＢは図２に示すように上述の第１、第２プラテン３、２を覆うようにその上方に配置され、上記第２プラテン２に原稿シートを給送するリードローラ（原稿給送手段）２１と搬出ローラ２２とを備えている。更に上記リードローラ２１の上流側には原稿シートを積載収納する給紙スタッカ２３と、この給紙スタッカに積載されてシートを１枚ずつ分離給送する給紙ローラ２４と、分離給送されたシートの先端をスキュ修正するレジストローラ対２５が配置されている。図示２６は給紙スタッカ２３から第２プラテン２に原稿シートを案内する給紙経路であり、図示Ｓ１はプラテンに至る原稿の先端を検知するリードセンサである。
【００６２】
図示の装置は第２プラテン２の上方に原稿シートを案内するバックアップローラ２７が配置されている。このバックアップローラ２７はリードローラ２１と同一周速度で回転し第２プラテン２上に原稿シートをフィットさせる為であり、このバックアップローラ２７を設けることなくプラテン上方にバックアップカイドを配置しても良い。
【００６３】
上記搬出ローラ２２の下流側には排紙ローラ２８と排紙スタッカ２９が配置されている。この排紙スタッカ２９は図２に示すように給紙スタッカ２３の下方に上下並列に配置され、その底部には前述の第１プラテン３上の原稿シートを押圧支持するプラテンカバー５が設けられている。
【００６４】
このように構成された原稿搬送ユニットＢは画像読取ユニットＡの上部筐体（装置ハウジング）１にヒンジ部材１ｈで開閉自在に据え付けられている（図１参照）。そして第１プラテン３を開放した状態で原稿シートを載置セットし、この原稿搬送ユニットＢのプラテンカバー５でこの原稿を覆うように構成されている。
【００６５】
一方この原稿搬送ユニットＢを開閉する際に第１プラテン３とバックアップローラ２７（又はバックアップガイド）との間隔（原稿搬送ギャップ）が変化しないように原稿搬送ユニットＢのフレームには第１プラテン３に当接する位置決め突起（ストッパ部材；不図示）が設けられている。
【符号の説明】
【００６６】
Ａ        画像読取ユニット
Ｂ        原稿搬送ユニット
１        装置ハウジング（外装ケーシング）
２        第２読取プラテン（第２プラテン）
３        第１読取プラテン（第１プラテン）
９ａ      第１光源ランプ
９ｂ      第２光源ランプ
１０      反射ミラー
１３      ランプ収容部
１３ａ    第１ランプ収容部
１３ｂ    第２ランプ収容部
１４      伝熱部材
１４ｘ    熱伝導面
１４ｋ    カム面
１５ａ    放熱フィン
１５ｂ    放熱フィン
１６      放熱部材
１６ａ    右放熱部材
１６ｂ    左放熱部材
１６ｆ    放熱フィン
１６ｋ    カム面
１６ｘ    接合面
１７ａ    ブラケット
１７ｂ    ブラケット
１８ａ    付勢スプリング
１８ｂ    付勢スプリング
１９      ランプユニット
１９ａ    ランプ収容部
２０ａ    放熱部材
２０ｂ    放熱部材
２０ｘ    接合面
２０ｋ    カム面
２０ｆ    放熱フィン
Ｒ１      第１読取位置
Ｒ２      第２読取位置
【図１】
2011188149.tif 000003
【図２】
2011188149.tif 000004
【図３】
2011188149.tif 000005
【図４】
2011188149.tif 000006
【図５】
2011188149.tif 000007
【図６】
2011188149.tif 000008
【図７】
2011188149.tif 000009